(57)【要約】      （修正有）【課題】長さの変更が容易であって、さまざまな用途に使用可能なクッション（緩衝材）付きの紐を提供する。【解決手段】紐本体１２が人体に食い込むのを防止するために、クッション２０を取り付けた紐である。前記クッション２０は、長手方向に所定間隔を置いて形成された複数の孔を有する細長い軟質素材からなり、前記孔に前記紐本体１２が挿通されている。前記軟質素材は、発泡樹脂を袋織り生地で被覆したものであることが好ましい。【選択図】図２
2008079952.tif 000002
【特許請求の範囲】
【請求項１】
紐本体（１２，３１，４１）が人体に食い込むのを防止するために、クッション（２０）を取り付けた紐（１０，３０，４０）であって、
前記クッション（２０）は、長手方向に所定間隔を置いて形成された複数の孔（２５）を有する細長い軟質素材からなり、
前記孔（２５）に前記紐本体（１２，３１，４１）が挿通されていることを特徴とするクッション（２０）付きの紐（１０，３０，４０）。
【請求項２】
前記クッション（２０）の複数の孔（２５）に紐本体（１２，３１，４１）を連続して差し込み、前記紐本体（１２，３１，４１）が前記クッション（２０）の表と裏に交互に現れるようにした請求項１記載のクッション付きの紐。
【請求項３】
前記の紐が、ネックストラップ（１０）、カバン（４０）の提げ手（４１）、カメラ・携帯電話のストラップ、ペット用手綱（３０）の取っ手（３１）の何れか一つである請求項１記載のクッション付きの紐。
【請求項４】
前記軟質素材が、発泡樹脂（２１）を袋織り生地（２２）で被覆したものである請求項１ないし３のいずれかに記載のクッション付きの紐。
【請求項５】
前記軟質素材が、２本の袋織り被覆紐（２３）を一定間隔で接合したものである請求項４記載のクッション付きの紐。
【請求項６】
前記軟質素材が、トルマリン粒、木炭粒、竹炭粒、金属イオン含有組成物、遠赤外線セラミック粉末混合樹脂のうちの少なくとも１つを練り込んだものである請求項１ないし５のいずれかに記載のクッション付きの紐。
【発明の詳細な説明】
【技術分野】
【０００１】
本発明は、ネックストラップ、カバンの提げ手、カメラ・携帯電話のストラップ、ペット用手綱の取っ手、等の紐において、紐が首や手のひらへ食い込むのを緩和するために用いるクッション付きの紐に関する。
【背景技術】
【０００２】
上記目的で紐に緩衝材を取り付ける考案が、例えば下記特許文献１により、知られている。この従来技術考案は、スポンジゴム等からなる緩衝材を着脱式に紐に取り付けている。
【特許文献１】実用新案登録第３０７９５３３号
【発明の開示】
【発明が解決しようとする課題】
【０００３】
上記特許文献１の考案は、紐を上部固定部と下部固定部で表裏から挟み込んで一体化するもので、下部固定部側にスポンジゴム等からなる緩衝材が取り付けられている。
【０００４】
この従来技術は、上部固定部、下部固定部及び緩衝材の長さは変更できないので、取付対象の紐が予め決まっているものに対して取り付けるのが原則であって、汎用性がない。
【０００５】
それに対して、本発明は、長さの変更が容易であって、さまざまな用途の紐に取付可能としたクッション（緩衝材）を提供することを目的とする。
【課題を解決するための手段】
【０００６】
本発明のクッション付き紐は、紐本体が人体に食い込むのを防止するために、クッションを取り付けた紐であって、前記クッションは、長手方向に所定間隔を置いて形成された複数の孔を有する細長い軟質素材からなり、前記孔に前記紐本体が挿通されていることを特徴とする。
【発明の効果】
【０００７】
本発明によれば、紐本体に対して、軟質素材が着脱可能に取り付けられるので、紐本体が人体に食い込むのを防止することができる。
【０００８】
さらに、クッションの長手方向に所定間隔を置いて形成された複数の孔に紐を挿通するので、クッションは紐本体に沿って波形に走るように形成される。指でクッションを一方向に押すと、波の周期が狭まり、逆方向に引っ張ると波の周期は広がる。波の周期が狭まると、クッションが集約して緩衝性が増し、波の周期が広がれば、紐本体が広く露出して、意匠性・柔軟性が増す。クッションの波間隔は指で自由に決められるので、１種類のクッションを用意しておけば、さまざまなサイズの紐に対して適用可能である。
【０００９】
また、本発明のクッションに色彩をさまざまに施すことにより、意匠的に優れたものとなる。また、広告用の文字や図柄などを印刷することにより、宣伝効果を高めることができる。
【発明を実施するための最良の形態】
【００１０】
本発明が適用可能な紐としては、例えば、ネックストラップ、カバンの提げ手、カメラ・携帯電話のストラップ、ペット用手綱の取っ手、等があげられる。
【００１１】
使用する軟質素材としては、例えば、スポンジゴムやポリウレタン等の発泡樹脂を使用することができる。耐久性や高級感を高めるために、この発泡樹脂を袋織り生地で被覆することが好ましい。軟質素材は１枚の板状のものとすることもできるが、上記のように袋織り生地を使用したときには、２本の被覆紐を一定間隔で接合したものとすることが好ましい。
【００１２】
２本の被覆紐を相互に一定間隔で接合するには、次のような方法がある。
（１）２本の被覆紐からなるクッションの成形時に袋織り生地の糸により接合しつつ織り上げる方法。
（２）２本の被覆紐を別々に成形した後、一定間隔に独立糸により接合する方法。
（３）２本の被覆紐を別々に成形した後、一定間隔に接着剤で接合する方法。
（４）１本の被覆紐に一定間隔に孔を開けて、孔の周囲をほつれないように処理する方法。ボタンホールのようにかがることもできる。
【００１３】
穴を設ける間隔は０．５〜２．０ｃｍ程度であり、好ましくは１．０〜１．５ｃｍ程度である。
【００１４】
クッションの孔に紐本体を挿通するには、ネックストラップ等の紐本体をクッションの孔に連続して差し込んでいくだけでよい。紐本体はクッションの表と裏に交互に現れるので、クッションは紐本体に沿って側面から見て波形に走り、その結果、蛇腹状となる。
【００１５】
このクッションには、それ自体公知の物質を練り込んでおくこともできる。練り込む物質としては、例えば、次のようなものがあげられる。
（１）マイナスイオン発生に役立つトルマリン粒や木炭粒・竹炭粒。
（２）抗菌作用に優れた銀イオン等の金属イオンを含有する組成物。
（３）血液循環促進作用、保温効果、抗菌作用に優れた遠赤外線セラミック粉末混合樹脂。
【００１６】
またこのクッションには広告用の文字や図柄などを印刷することにより、宣伝に役立てることもできる。さらに、紐本体とクッションの色を変えることにより、意匠性を高めることができる。
【実施例１】
【００１７】
以下、添付の図面に基づき、本発明の実施例を説明する。
【００１８】
図１は、本発明のクッションを取り付けたネックストラップ１０の斜視図である。開閉具１１を取り付けたネックストラップ本体１２の上に蛇腹状のクッション２０が取り付けられている。
【００１９】
このクッション２０の一部を拡大したのが図２であり、（ａ）が側面図、（ｂ）が平面図である。図３は、ネックストラップ本体１２からクッション２０を取り外した一部拡大正面図である。
【００２０】
図３に示すように、このクッション２０は、芯材２１を袋織り生地２２で被覆してなる２本の被覆紐２３，２３を相互に１．０〜１．５ｃｍ間隔で接合して得られる。接合部分２４と非接合部分２５は１．０〜１．５ｃｍ間隔で出現している。非接合部分は孔２５となる。
【００２１】
芯材２１は、ポリエチレンの発泡樹脂である。袋織り生地２２は、それ自体公知のニードル織機により製造することができる。
【００２２】
このクッション２０をネックストラップ本体１２に取り付けるには、縫い針で生地に一列の縫い目を形成するときのように、ネックストラップの紐本体１２をクッション２０の孔２５に連続して差し込んでいくだけでよい。紐本体１２はクッション２０の一方の側と他方の側に交互に現れるので、図２（ａ）の側面図に示すように、クッション２０は紐本体１２に沿って波形に走り、その結果、蛇腹状となる。
【００２３】
クッション２０は蛇腹状であり、紐１２と固着していないので、指でクッション２０を一方向に押すと、波の周期が狭まり、逆方向に引っ張ると波の周期は広がる。すなわち、クッション２０の見かけ上の全長は短くも長くもなる。
【００２４】
このとき、２本の被覆紐２３を別の色糸で形成しておくと、図２（ａ）の側面図は紙面側から見たときと紙面の裏側から見たときとで、同一形状ながら異なる色彩が波形を形成するので、強烈な視覚的印象が得られる。
【００２５】
このクッション２０をネックストラップ１０に使用すると、首部分にクッション２０が当たるので、ネックストラップ紐本体１２が首に食い込むようなことは避けられる。また、上記したように、クッション２０の波間隔は指で自由に決められるので、１種類のクッションを用意しておけば、さまざまなサイズのネックストラップ（さらには、後記する別の実施例の製品）に対しても適用可能である。
【実施例２】
【００２６】
図３は、クッション２０をペット用の手綱３０の取っ手３１に使用した例である。クッション自体の構造は実施例１と同じであるが、用途に応じてクッションの緩衝性を変更することもできる。例えば、手で握る個所にクッションの波を集約してその部分だけ緩衝性を高めることができる。
【実施例３】
【００２７】
図４は、クッション２０を手提げバッグ４０の手提げ紐４１に使用した例である。クッション自体の構造は実施例１と同じであるが、用途に応じてクッションの緩衝性を変更することもできる。例えば、手で握る個所にクッションの波を集約してその部分だけ緩衝性を高めることができる。
【図面の簡単な説明】
【００２８】
【図１】本発明のクッションをネックストラップに使用した例を示す斜視図である。
【図２】クッションの一部を拡大したもので、（ａ）は側面図、（ｂ）は平面図である。
【図３】ネックストラップ本体から取り外したクッションの一部拡大正面図である。
【図４】本発明のペット用手綱の取っ手に使用した例を示す斜視図である。
【図５】本発明のクッションを手提げバッグに使用した例を示す斜視図である。
【符号の説明】
【００２９】
１０   ネックストラップ
１２   ネックストラップ紐本体
２０   クッション
２１   芯材
２２   袋織り生地
２３   被覆紐
２４   接合部分
２５   非接合部分（孔）
３０   ペット用手綱
３１   紐本体
４０   バッグ
４１   紐本体
【図１】
2008079952.tif 000003
【図２】
2008079952.tif 000004
【図３】
2008079952.tif 000005
【図４】
2008079952.tif 000006
【図５】
2008079952.tif 000007